(57)【要約】【課題】切断すべき媒体の種別に応じて調節しなければならないカッティングペンの刃先突出量を、簡単に且つ正確に設定することができるカッティングペンを提供する。【解決手段】カッター刃を支持するホルダに着脱可能に構成され、このホルダに取り付けられると被切断媒体と圧接する下端面からカッター刃の刃先部分が突出するキャップ部を設け、キャップ部をホルダに取り付けた際のカッター刃の刃部先端突出量が、予め定められた固有の突出量となるよう構成した。また、キャップ部のカッター刃の軸方向長さは、切断すべき媒体の種別に応じて決定し、これを切断する際に、キャップ部をホルダに取り付けることによりキャップ部下端面から突出するカッター刃の刃部先端突出量が、切断すべき媒体に対して最良の刃出し量となるよう構成した。【選択図】        図２
2005212050.tif 000002
【特許請求の範囲】
【請求項１】
先端部分に刃部が設けられるカッター刃と、
このカッター刃を軸方向について固定するよう支持するホルダ、
上記ホルダに着脱可能に構成され、このホルダに取り付けられると、被切断媒体と圧接する下端面から上記カッター刃の刃部先端が突出するとともに、この刃部先端の突出量を決定するよう設けられたキャップ部とからなることを特徴とするカッティングプロッタのカッティングペン。
【請求項２】
上記キャップ部は、各々ホルダに取り付けられた際にホルダと下端面の距離が異なることにより、カッター刃の刃部先端の突出量がそれぞれ異なるよう構成され、切断する媒体に応じて選択可能とすることを特徴とする請求項１記載のカッティングプロッタのカッティングペン。
【請求項３】
上記複数のキャップ部には、各々個別の標識が付与されることを特徴とする請求項１または２記載のカッティングプロッタのカッティングペン。
【請求項４】
上記複数のキャップ部は、各々個別の色彩が施されることを特徴とする請求項１または２記載のカッティングプロッタのカッティングペン。
【請求項５】
請求項１乃至４記載の何れかのカッティングペンを用いたカッティングプロッタの駆動制御装置であって、
切断する媒体の種別に応じ、キャップ部情報を含む各種設定条件を個別に格納保持する記憶手段を有し、
操作者により選択された切断すべき媒体の種別に応じた設定条件を上記記憶手段から読み出し、読み出した設定条件のうちキャップ部情報を表示手段により表示させるとともに、上記読み出した設定条件に基づいて、上記カッティングペンを切断すべき媒体に対して相対的に２次元方向に移動するとともに、これを選択的に圧接離反させることにより媒体の切断を行うことを特徴とするカッティングプロッタの駆動制御装置。
【発明の詳細な説明】
【技術分野】
【０００１】
本発明は、カッティングフィルム等のシート状媒体を所望の形状に切断するカッティングプロッタに関するものであり、更に詳しくは、このカッティングプロッタのカッティングペンと、このカッティングペンを用いたカッティングプロッタの駆動制御装置に関するものである。
【背景技術】
【０００２】
シート状のカッティングフィルム等を所望の形状に切断するこの種のカッティングプロッタにおいては、コンピュータ等の上位装置より送信されるカットデータに基づいて、カッティングペンを保持したペンブロックをシート状媒体に対して相対的に２次元方向に移動させ、同時にペンブロックのホルダに支持したカッティングペンをシート状媒体に圧接，離反させることにより、これを切断するよう構成されている。
【０００３】
図５は、この種のカッティングプロッタに用いられるカッティングペンの構成を示す図であり、図において１１は筐体であるプランジャ、１２はこのプランジャと螺合する繰出体、１３は繰出体１２の先端部分に取り付けられるピボットベアリング、１４はカッター刃、１５は先端部材としてのキャップ部、１６はキャップ部１５に取り付けられカッター刃１４を回転自在に支持するベアリングである。
この従来のカッティングペンにおいては、繰出体１２を回転させてこれをプランジャ１１に対して進退させ、これによりカッター刃１４の刃先突出量を調整するよう構成されている。また、カッター刃１４は、ピボットベアリング１３およびベアリング１６により回転可能に支持されており、これによりカッティングペン１のシート状媒体に対する相対移動に伴って、カッター刃１５の刃先がその移動方向に向けられるよう構成されている。
【特許文献１】特開平１０−０３４５８９号公報
【特許文献２】特開平１１−２６８０００号公報
【発明の開示】
【発明が解決しようとする課題】
【０００４】
このカッティングペンを用いて、カッティングプロッタによりシート状媒体を切断する場合、切断するシート状媒体が台紙に粘着シートが接着剤等を介して積層して構成された所謂カッティングフィルムである場合、切断すべき対象は粘着シート部分のみであるので、操作者は予めカッティングペンのカッター刃の刃先突出量をこの粘着シートの厚みに応じて調整する必要がある。このカッター刃の刃先突出量の調整においては、繰出体１２を回転させてカッター刃１４を進退させ、その刃先の突出量、即ち、カッティングペン１がシート状媒体に圧接されたときにその粘着シート表面に接触するキャップ部１５の下端部に対するカッター刃１４の刃出し量を、シート状媒体の粘着シートの厚みと同じか、或いは台紙を完全に突き抜けることがないような突出量に設定する。この刃先の突出量は実際には微小であるので、その設定のために従来は切断動作の前にシート状媒体の不要領域において所定のパターンでの切断、即ちためし切りを行い、その切断結果を確認して刃出し量を再調整し、これを繰り返し行って最良の刃出し量を設定し、その後切断動作を行っていた。
従って、最良の刃出し量を迅速に見つけ出すためには、操作者の経験に基づくか、またはこのためし切り動作を繰り返し行うといったことが必要となり、操作に不慣れな者にとってはこの刃先突出量の調整が非常に煩わしいものとなっていた。また、切断する対象を紙シート材等の別の素材に変更する場合には、この刃先突出量の調整を再度行う必要があり、更にこの刃先調整作業は媒体を変更する度に行わなければならず、その調整作業が煩雑なものとなっていた。
本願発明は、これらの不具合を解消するためになされたものである。
【課題を解決するための手段】
【０００５】
本発明のカッティングペンにおいては、カッター刃を支持するホルダに着脱自在となるキャップ部を設け、キャップ部をホルダに取り付けた際にカッター刃の刃部先端突出量が決定されるよう構成したことを最も主要な特徴とする。
【発明の効果】
【０００６】
本発明のカッティングペンにおいては、キャップ部がホルダに取り付けられた際、その下端面からのカッター刃の刃部先端突出量が予め定められた固有の突出量となるので、切断する媒体の種別に応じてキャップ部を選択して取り付けるだけで、最良の刃先突出量設定することができる。
【発明を実施するための最良の形態】
【０００７】
カッター刃を支持するホルダに着脱可能に構成され、このホルダに取り付けられると被切断媒体と圧接する下端面からカッター刃の刃先部分が突出するキャップ部を設け、キャップ部をホルダに取り付けた際のカッター刃の刃部先端突出量が、予め定められた固有の突出量となるよう構成した。また、キャップ部のカッター刃の軸方向長さは、切断すべき媒体の種別に応じて決定し、これを切断する際に、キャップ部をホルダに取り付けることにより、キャップ部下端面から突出するカッター刃の刃部先端突出量が、切断すべき媒体に対して最良の刃出し量となるよう構成した。また、複数個のキャップ部それぞれに個別の標識を付与し、切断すべき媒体の種別に応じて、この標識によりホルダに装着すべきキャップ部を選択するよう構成した。また、複数個のキャップ部それぞれに個別の色彩を施し、切断すべき媒体の種別に応じて、この色彩によりホルダに装着すべきキャップ部を選択するよう構成した。
【実施例１】
【０００８】
以下図面に基づいて、本発明のカッティングペンを説明する。
図１は本発明のカッティングペンの構成を示す断面図であり、図において２１はカッティングペン２の本体である円筒状に形成されたホルダ、２２は先端部分に刃部が形成されたカッター刃、２３はホルダ２１の内部に固定されカッター刃２２を回転可能に支持するベアリング、２４はキャップ部である。
キャップ部２４は、ホルダ２１にネジ係合するようその中心部分内側にネジ溝が形成された円筒形状に設けられ、これを回転することによりホルダ２１に対して着脱可能に構成されている。また、切断すべき媒体に圧接される下端面の中心部には、カッター刃２２の刃先が貫通する孔部が設けられており、キャップ部２４をホルダ２１に装着すると、ホルダ２１に支持されたカッター刃２２の刃部がキャップ部２４の孔部を貫通して、その先端部分がキャップ部２４の下端面から突出するよう構成されている。
【０００９】
本発明のカッティングペンにおいては、図２に示すとおり、複数種類のキャップ部２４が用意されている。本実施例において、３つのキャップ部２４（ａ）〜２４（ｃ）は、それぞれカッター刃２２の軸方向の長さ、即ちホルダ２１に装着した際、そのホルダ２１の上端側からカッター刃２２の刃部先端が突出する下端面までの距離Ｄ１，Ｄ２，Ｄ３がそれぞれ異なるように形成されており、これらのキャップ部２４（ａ），２４（ｂ），２４（ｃ）をホルダ２１に装着した場合のカッター刃２２の（下端面からの）突出量Ｃ１，Ｃ２，Ｃ３がそれぞれ異なるよう構成されている。（ここで、いずれの場合もカッター刃２２とホルダ２１の相対的な位置関係に変化はない。）
今、第１のキャップ部２４(ａ)をホルダ２１に装着した場合のカッター刃２２の刃先突出量Ｃ１が0.1mm、第２のキャップ部２４（ｂ）をホルダ２１に装着した場合のカッター刃２２の刃先突出量Ｃ２が0.2mm、第３のキャップ部２４（ｃ）をホルダ２１に装着した場合のカッター刃２２の刃先突出量Ｃ３が0.3mmとなるように、それぞれのキャップ部２４の長さＤ１，Ｄ２，Ｄ３が設定、形成されているものとする。また、このカッティングペン２を用いてカッティングプロッタにより薄手のフィルム（台紙と粘着シートが積層されたカッティングフィルム）を切断する場合の最適刃出し量が0.1mm、厚手のフィルム（カッティングフィルム）または薄手の紙シート材を切断する場合の最適刃出し量が0.2mm、その他の紙シート材を切断する場合の最適刃出し量が0.3mmであるとの切断条件が予め設定されているものとする。
【００１０】
本発明のカッティングペンを用いたカッティングプロッタによりシート材の切断を行う場合、操作者は先ず切断すべきシート材の種別に応じたキャップ部２４の選択を行う。即ち、切断しようとする媒体がカッティングフィルムといった薄手のフィルムである場合は、複数のキャップ部２４のうち、その軸方向長さがＤ１である第１のキャップ部２４（ａ）を選択し、これをカッティングペン２のホルダ２１に装着する。第１のキャップ部２４(ａ)がホルダ２１に装着されると、そのカッター刃２２の刃先突出量は自ずとＣ１、即ち0.1mmに設定されることとなる。ホルダ２１に第１のキャップ部２４（ａ）を装着すると、操作者はこれをカッティングプロッタに装着し、切断動作を行う。
同様に、切断する媒体が厚手のフィルムまたはコピー用紙，ラベル紙といった薄手の紙シート材である場合には、複数のキャップ部２４のうち、その軸方向長さがＤ２である第２のキャップ部２４（ｂ）を選択し、また、切断する媒体がケント紙などの紙シート材である場合には、複数のキャップ部２４のうち、その軸方向長さがＤ３である第３のキャップ部２４（ｃ）を選択し、これをカッティングペン２のホルダ２１に装着する。第２のキャップ部２４(ｂ)がホルダ２１に装着されると、そのカッター刃２２の刃先突出量は自ずとＣ２、即ち0.2mmに、また、第３のキャップ部２４(ｃ)がホルダ２１に装着されると、そのカッター刃２２の刃先突出量は自ずとＣ３、即ち0.3mmにそれぞれ設定されることとなる。
このように、本発明のカッティングペンにおいては、刃出し量の調整として操作者が切断すべき媒体の種別に応じて、キャップ部２４を選択してこれをホルダ２１に装着するだけでよく、容易に且つ正確に刃出し量の設定を行うことが可能となる。
図２下図に示されるとおり、第１〜３のキャップ部２４(ａ)〜２４（ｃ）にそれぞれ個別の標識Ｍ１〜Ｍ３を付与するか、或いは個別の色彩、例えば第１のキャップ部２４（ａ）は青、第２のキャップ部２４（ｂ）は赤、第３のキャップ部２４（ｃ）は白といった塗装を施して（或いはそれぞれの色彩を有する材質を用いて）形成しておけば、操作者によるキャップ部２４の選択、即ちカッター刃の刃先突出量の設定が更に容易になる。
即ち、切断しようとする媒体が薄手のフィルムである場合は「１」番の（または青い）キャップ部２４を、厚手のフィルム或いは薄手の紙シートを切断する場合は「２」番の（または赤の）キャップ部を、その他の紙シート材を切断する場合は「３」番の（または白の）キャップ部を使用するとしておけば、操作者によるキャップ部２４の選択が更に容易になる。
【実施例２】
【００１１】
次に、本発明のカッティングペンを用いたカッティングプロッタの駆動制御装置を説明する。
図３は、本発明のカッティングペンを用いたカッティングプロッタの駆動制御装置の構成を示すブロック図であり、図において３は各種制御を行う制御部、４はモニタ等の表示手段、５は各種設定条件等が格納，保持されている記憶手段、６は各種データ或いはコマンドの入力，指示等を行うマウス，キーボード等よりなる入力手段、７はカッティングプロッタである。また、図４はこの駆動制御装置における切断条件設定手順を示すフローチャート図である。
カッティングプロッタ７によりシート状媒体の切断を行う場合、カッティングプロッタ７にカットデータを送信して切断動作を行う前に、切断するシート材に応じた切断条件の設定を行う。
この動作条件としては、例えば作図速度（カッティングペンの移動速度）、加速度（カッティングペンの移動加速度）、筆圧（カッティングペンによる切断時の媒体に対する押圧力）ならびに刃先突出量（即ち、本発明のカッティングペンにおいてはキャップ部２４の種別情報である）等がある。作図速度および加速度は、作成すべき切断図形の細密さに特に関係しており、細かな切断図形を作成する場合は、これらの値を小さくすることが望ましく、また、筆圧ならびに刃先突出量は、切断すべき媒体の種別に特に関係しており、上述したとおり、媒体の厚みに応じて刃先突出量をあわせる必要があることは言うまでもなく、厚みまたは堅さが大きい媒体に対しては筆圧を大きくすることが望ましい。
本発明のカッティングペンを用いたカッティングプロッタの駆動制御装置においては、この各種設定条件の組み合わせを媒体の種別毎に各パラメータの最適値について予め格納しておき、操作者により切断する媒体の種別を選択するだけで、格納保持した各条件に設定するよう構成したものである。
【００１２】
この切断条件の設定動作においては、制御部３は表示手段４に各種切断動作条件設定のための「切断媒体選択ウインドウ」４０を表示させる。この切断媒体選択ウインドウ４０には、予め記憶手段５に記憶されている媒体種別の一覧を表示させる媒体種別選択，表示ウインドウ４１と、選択した媒体種別に応じた設定条件のうち、キャップ部情報を表示させるキャップ部表示ウインドウ４２とを有している。
操作者は、この切断媒体選択ウインドウ４０の表示を確認しながら、入力手段６を操作して、媒体種別選択，表示ウインドウ４１の中から切断すべき媒体の種別を選択する。（図４におけるＳＴＥＰ１）ここで切断すべき媒体が選択されると、制御部３は記憶装置５のデータのうち、選択された媒体についての切断条件を読み出し（ＳＴＥＰ２）、更に読み出した切断条件のうち、キャップ部情報に基づいて、表示手段４のキャップ部表示ウインドウ４２に選択した媒体に応じたキャップ部２４の種別を表示する。（ＳＴＥＰ３）
上述の第１実施例に照らし合わせて説明すると、記憶部５には設定条件として、（１）媒体「薄手のフィルム」には、標識「１」色彩「青」の第１のキャップ部２４（ａ）、（２）媒体「厚手のフィルム」および「薄手の紙シート材」には、標識「２」色彩「赤」の第２のキャップ部２４（ｂ）、（３）媒体「その他の紙シート材」には、標識「３」色彩「白」の第３のキャップ部２４（ｃ）のデータをそれぞれ格納保持するとともに、表示部４の媒体種別選択，表示ウインドウ４１には、切断すべき媒体種別として「薄手フィルム」「厚手フィルム」「薄手紙シート材」「紙シート材」をそれぞれ選択可能に表示させる。この表示部４の媒体種別選択，表示ウインドウ４１より、操作者が切断すべき媒体種別として「薄手フィルム」を選択すると、制御部３は記録装置５のデータより「薄手フィルム」に応じた切断条件を読み出すとともに、読み出した切断条件のうち、キャップ部情報、即ちこの場合キャップ部２４（ａ）の情報を読み出して、表示部４のキャップ部表示ウインドウ４２に標識「１」が付与され青色に彩色されたキャップ部２４（ａ）を描画表示する。（同様に、「厚手フィルム」または「薄手紙シート材」を選択すると、制御部３は記録装置５のデータより「厚手フィルム」または「薄手紙シート材」に応じた切断条件を読み出すとともに、読み出した切断条件のうちキャップ部２４（ｂ）の情報を読み出して、表示部４のキャップ部表示ウインドウ４２に標識「２」が付与され赤色に彩色されたキャップ部２４（ｂ）を、更に「紙シート材」を選択すると、制御部３は記録装置５のデータより「紙シート材」に応じた切断条件を読み出すとともに、読み出した切断条件のうちキャップ部２４（ｃ）の情報を読み出して、表示部４のキャップ部表示ウインドウ４２に標識「３」が付与され白色に彩色されたキャップ部２４（ｃ）を描画表示する。）
操作者はこのキャップ部表示部４２の表示を確認して、複数個用意されているキャップ部２４の中から標識「１」が付与されている、或いは「青」色のキャップ部２４を選択して、これをカッティングペン２のホルダに装着し、カッティングペン２をカッティングプロッタに装着する。このキャップ部２４の選択、ホルダ２１への装着、カッティングペン２のセットが完了すると、操作者は入力手段６を操作して、切断媒体選択ウインドウ４０の「ＯＫ」ボタンを操作するか或いはキーボードから実行キーを押下して、この切断条件設定動作を完了する。（ＳＴＥＰ４）
切断条件の設定が完了すると、制御部３は、この設定された各種パラメータならびにカットデータに基づいて、カッティングペン２を保持したペンブロックをシート状媒体に対して相対的に２次元方向に移動させ（Ｘ軸，Ｙ軸駆動装置)、同時にペンブロックに支持したカッティングペン２をシート状媒体に圧接，離反させる（Ｚ軸駆動装置)ことにより、シート状媒体を切断する。
【００１３】
このように、本発明のカッティングペンを用いたカッティングプロッタの駆動制御装置においては、操作者は切断する媒体の種別を選択するだけで、複数のキャップ部のうちどれを選択すべきかを表示部を確認することにより視覚的に判断することができ、これにより切断すべき媒体に最適な刃先突出量を容易に且つ正確に設定することができる。
【図面の簡単な説明】
【００１４】
【図１】本発明のカッティングペンの構成を示す図である。
【図２】本発明のカッティングペンにおけるキャップ部を示す図である。
【図３】本発明のカッテイングペンを用いたカッテイングプロッタの駆動制御装置を示すブロック図である。
【図４】本発明のカッテイングペンを用いたカッテイングプロッタの切断条件設定方法を示す図である。
【図５】従来のカッティングペンの構成を示す図である。
【符号の説明】
【００１５】
２      カッティングペン
３      制御部
４      表示手段
５      記録装置
６      入力手段
７      カッティングプロッタ
【図１】
2005212050.tif 000003
【図２】
2005212050.tif 000004
【図３】
2005212050.tif 000005
【図４】
2005212050.tif 000006
【図５】
2005212050.tif 000007